(57)【要約】【課題】  個人が装着・携行すべき装備品を短時間で確実にチェックするとともに、各装備品のトレーサビリティを確保する装備品チェックアウト装置を得る。【解決手段】  ＩＤカード１により認証された隊員の所持する装備品を、これらに付された無線タグ３により特定し、所持すべき装備品の情報が記録された個人別装備品リスト１１、及びそれぞれの装備品の管理情報が記録された装備品管理リスト１２を用いて、隊員の所持する装備品の過不足及び可用性をチェックし、その結果を表示部９に表示する。また、無線タグ３を付された装備品の管理情報は、装備品管理リスト１２に一元化されて記録されるとともに、隊員が所持することによって装備品の使用が特定されるたびごとに、その装備品に対する使用履歴を更新する。加えて、装備品管理リスト１２を表示部９に表示して記録されたリスト内容の参照を可能にしている。【選択図】  図１
2007207178.tif 000002
【特許請求の範囲】
【請求項１】
認証された個人が所持する装備品をこれら装備品に付された無線タグによりチェックする装備品チェックアウト装置であって、
固有の識別情報を有し装備品のそれぞれに付された無線タグと、
前記識別情報に対応づけて前記各装備品毎の管理情報が記録された装備品管理リストと、
個人認証用の識別情報が記録されたＩＤカードと、
前記個人認証用の識別情報に対応づけて個人の所持すべき前記装備品の情報が記録された個人別装備品リストと、
前記ＩＤカードの識別情報を読みとるカード読みとり部と、
この読みとったＩＤカードの所有者が所持する装備品に付された前記無線タグの識別情報を読みとるタグ読みとり部と、
前記カード読みとり部で読みとった前記個人認証用の識別情報に対応づけられた個人別装備品リストの内容と、前記タグ読みとり部で読みとった前記無線タグの識別情報に対応づけられた装備品の管理情報とを抽出するとともに、これらを比較し、その比較結果に基づきメッセージを編集する情報処理部と、
この情報処理部で編集したメッセージを表示する表示部とを備えたことを特徴とする装備品チェックアウト装置。
【請求項２】
前記装備品管理リストに記録された装備品の管理情報は、これら装備品の品名情報、使用履歴情報、及び整備履歴情報を含むことを特徴とする請求項１に記載の装備品チェックアウト装置。
【請求項３】
前記個人別装備品リストに記録された装備品の情報は、これら装備品の品名情報を含むことを特徴とする請求項１または請求項２に記載の装備品チェックアウト装置。
【請求項４】
前記情報処理部の編集するメッセージは、前記カード読みとり部で読みとったＩＤカードの所有者が所持する前記装備品の過不足及び可用性を含むことを特徴とする請求項１乃至請求項３のいずれか１項に記載の装備品チェックアウト装置。
【請求項５】
前記情報処理部は、さらに前記タグ読みとり部で読みとった無線タグの識別情報に基づき、該当する前記装備品管理リストの記録を更新することを特徴とする請求項１乃至請求項４のいずれか１項に記載の装備品チェックアウト装置。
【請求項６】
さらに、前記装備品管理リスト及び前記個人別装備品リストを参照するための操作を受けつける操作部を備えたことを特徴とする請求項１乃至請求項５のいずれか１項に記載の装備品チェックアウト装置。
【請求項７】
さらに、前記装備品管理リスト及び前記個人別装備品リストを他装置と授受する送受信部を備えたことを特徴とする請求項１乃至請求項６のいずれか１項に記載の装備品チェックアウト装置。
【発明の詳細な説明】
【技術分野】
【０００１】
本発明は、個人が装着する装備品の状況をチェックする装備品チェックアウト装置に関する。
【背景技術】
【０００２】
隊員各人が装着・携行する装備品は、隊員一人ひとりが出発あるいは任務開始に先だって準備し点検を行なう。すなわち、隊員は、過不足や誤りのないように装備品を揃えた上で、各装備品を目視等により点検する。このときに、従来は、例えば所持品一覧表や各装備品の管理票など、紙ベースのものを用いて準備及び点検を進めることが多く、時間を要していた。
【０００３】
このような、隊員が装着・携行する装備品の過不足や誤りをチェックするために適用しうる技術が開示されている（例えば、特許文献１参照。）。この特許文献１に開示された事例では、紙ベースの帳票類を用いることなく、各携行品に取り付けたＲＦＩＤタグを利用して、携行品の持ち忘れを防止するシステムを構成している。
【特許文献１】特開２００５−８５１８６号公報（第７ページ、図１）
【発明の開示】
【発明が解決しようとする課題】
【０００４】
ところで、隊員が装着あるいは携行する装備品の中には、定期的な点検整備等を必要とする物品も多い。このため、隊員が出発あるいは任務を開始するにあたって、装備品の過不足や誤りを短時間のうちにチェックすることはもちろん、特に、その可用性をも確認することが必要となる。また、各装備品を常に良好に機能する状態に維持するために、点検整備記録等を含めた物品を取得した以降の履歴情報を一元的に管理することが望まれる。
【０００５】
しかしながら、従来の携行品チェックシステムでは、主にチェック時における携行品の過不足が通知され、個別の携行品自体については何も管理されない。このため、各装備品の履歴情報まで一元管理することは難しく、物品管理におけるトレーサビリティを十分に確保できなかった。
【０００６】
本発明は、上述の事情を考慮してなされたものであり、個人が装着・携行すべき装備品を短時間で確実にチェックするとともに、各装備品のトレーサビリティを確保する装備品チェックアウト装置を提供することを目的とする。
【課題を解決するための手段】
【０００７】
上記目的を達成するために、本発明の装備品チェックアウト装置は、認証された個人が所持する装備品をこれら装備品に付された無線タグによりチェックする装備品チェックアウト装置であって、固有の識別情報を有し装備品のそれぞれに付された無線タグと、前記識別情報に対応づけて前記各装備品毎の管理情報が記録された装備品管理リストと、個人認証用の識別情報が記録されたＩＤカードと、前記個人認証用の識別情報に対応づけて個人の所持すべき前記装備品の情報が記録された個人別装備品リストと、前記ＩＤカードの識別情報を読みとるカード読みとり部と、この読みとったＩＤカードの所有者が所持する装備品に付された前記無線タグの識別情報を読みとるタグ読みとり部と、前記カード読みとり部で読みとった前記個人認証用の識別情報に対応づけられた個人別装備品リストの内容と、前記タグ読みとり部で読みとった前記無線タグの識別情報に対応づけられた装備品の管理情報とを抽出するとともに、これらを比較し、その比較結果に基づきメッセージを編集する情報処理部と、この情報処理部で編集したメッセージを表示する表示部とを備えたことを特徴とする。
【発明の効果】
【０００８】
本発明によれば、個人が装着・携行すべき装備品を短時間で確実にチェックできるとともに、一元化された物品管理により、個々の装備品に対するトレーサビリティを確保することができる装備品チェックアウト装置を得ることができる。
【発明を実施するための最良の形態】
【０００９】
以下に、本発明に係る装備品チェックアウト装置を実施するための最良の形態について、図１乃至図５を参照して説明する。
【実施例１】
【００１０】
図１は、本発明に係るチェックアウト装置の一実施例を示すブロック図である。このチェックアウト装置は、ＩＤカード１、カード読みとり部２、無線タグ３、タグ読みとり部４、個人別装備品リスト記憶部５、装備品管理リスト記憶部６、操作部７、情報処理部８、表示部９、及び送受信部１０から構成されている。
【００１１】
ＩＤカード１には、このＩＤカードの所有者の個人認証用の識別情報が記録されており、カード読みとり部２は、このＩＤカード１に記録された識別情報を読みとって後述する情報処理部８に送出する。無線タグ３は、装備品毎に付され、各無線タグ３１〜３ｎそれぞれに異なる固有の識別情報を有している。タグ読みとり部４は、この無線タグ３の識別情報を読みとって情報処理部８に送出する。
【００１２】
個人別装備品リスト記憶部５は、個人別装備品リスト１１を記憶する。個人別装備品リスト１１は、ＩＤカードに記録された個人認証用の識別情報に対応づけて、この識別情報に該当する個人が所持すべき装備品の情報が記録されたリストである。本実施例における個人別装備品リスト１１の構成の一例を図２に示す。この図２に示した事例では、この個人別装備品リスト１１には、個人認証用の識別情報と、これに対応させてこの識別情報に該当する個人名、所属、及び所持すべき装備品の品名情報としての装備品名すべてが記録された構成としている。
【００１３】
装備品管理リスト記憶部６は、装備品管理リスト１２を記憶する。装備品管理リスト１２は、各装備品に付された無線タグ３が有する固有の識別情報に対応づけて、それぞれの装備品の管理情報が記録されたリストである。本実施例における装備品管理リスト１２の構成の一例を図３に示す。この図３に示した事例では、この装備品管理リスト１２は、無線タグ３の識別情報と、これに対応させてこの識別情報に該当する装備品の品名情報としての装備品名、物品番号、取得日、使用履歴情報としての使用回数、所持者及び更新日、ならびに、整備履歴情報としての有効期限及び整備予定日が記録された構成としている。
【００１４】
操作部７は、個人別装備品リスト１１及び装備品管理リスト１２を参照するための操作を含む装置に対する各種の指示操作を受けつけて情報処理部８に転送する。情報処理部８は、カード読みとり部２及びタグ読みとり部３からの読みとり結果と個人別装備品リスト１１及び装備品管理リスト１２の内容とを比較するとともに、操作部７で受けつけた操作に対応する各種の処理、及び装置全体の制御を行なう。表示部９は、これら情報処理部８での各種の処理結果を表示する。送受信部１０は、個人別装備品リスト１１及び装備品管理リスト１２を他システムと授受・共有するための他システムとの通信インターフェースである。
【００１５】
次に、前述の図１乃至図３、ならびに図４のフローチャート及び図５の説明図を参照して、上述のように構成された本発明に係る装備品チェックアウト装置の動作を説明する。以下の説明では、例えば、個人認証用のＩＤカードを所持する個人としての隊員が、出発あるいは任務開始に先だって自身の装着・携行している装備品をチェックする場面を取りあげている。
【００１６】
図４は、図１に例示した本発明に係る装備品チェックアウト装置の動作の一例を説明するためのフローチャートである。まず、個人別装備品リスト記憶部５に、個人別装備品リスト１１を設定する。この設定方法には、操作部７からの設定指示操作、あるいは送受信部１０を経由して他システムから転送する等の手法が使用できる（ＳＴ１）。同様の手法により、装備品管理リスト記憶部６に、装備品管理リスト１２を設定する（ＳＴ２）。
【００１７】
次に、カード読みとり部２は、隊員の所有するＩＤカード１に記録された個人認証用の識別情報を読みとる。読みとられた個人認証用の識別情報は、情報処理部８に送られる（ＳＴ３）。情報処理部８では、個人別装備品リスト記憶部５に記憶された個人別装備品リスト１１から、この個人認証用の識別情報に対応した記録内容を抽出する。本実施例においては、個人別装備品リスト１１は図２に例示したように構成されており、このステップで抽出される内容には、この隊員の所持すべき装備品名（図２中のＩｔｅｍ１、Ｉｔｅｍ２等に対応）が含まれている。すなわち、隊員の所持すべき装備品名が抽出される（ＳＴ４）。
【００１８】
これと合わせ、タグ読みとり部４は、隊員の所持する装備品毎に付された無線タグ３の識別情報を読みとる。各無線タグ３ｎは、それぞれに固有の識別情報を有しており、読みとられた識別情報は、すべて情報処理部８に送られる（ＳＴ５）。
【００１９】
情報処理部８では、これらタグ読みとり部４からの識別情報を受けとって、まず、装備品管理リスト記憶部６に記憶された装備品管理リスト１２中の該当する装備品の管理情報を更新する。本実施例においては、装備品管理リスト１２は図３に例示したように構成されており、この事例では、該当する装備品の使用履歴である使用回数、所持者及び更新日が更新される（ＳＴ６）。これに続けて、情報処理部８は、該当するすべての装備品に対する更新後の管理情報を抽出する。すなわち、このステップによって、隊員の所持しているすべての装備品名とそれらの使用履歴及び整備履歴が抽出される（ＳＴ７）。
【００２０】
次に、情報処理部８は、ＳＴ４のステップで抽出した個人別装備品リスト１１の記録内容と、ＳＴ７のステップで抽出した各装備品の管理情報とを比較する。すなわち、ＳＴ４で抽出した隊員の所持すべき装備品名とＳＴ７で抽出したこの隊員が所持している装備品名とを比較して、隊員が所持すべき装備品に対する過不足を判定するとともに、ＳＴ７で抽出した隊員が所持している各装備品の整備履歴によりその可用性を判定する（ＳＴ８）。
【００２１】
これらの比較・判定の処理結果に基づいて、情報処理部８は、装備品に対する過不足及び可用性の判定結果、及び判定理由を含んだ表示用のメッセージを編集する（ＳＴ９）。そして、このメッセージは表示部９に出力され、表示部９はこれを表示する（ＳＴ１０）。
【００２２】
比較・判定結果に基づき編集されたメッセージの表示例を図５に示す。この図５に示した事例では、隊員が所持すべき装備品名及び所持している装備品名のすべてを対象にして、それぞれの装備品毎にその判定結果及び判定理由、ならびに必要な管理情報を含むメッセージが通知されている。
【００２３】
この後、さらに同様のチェックを継続する場合は（ＳＴ１１のＹ）、再びＳＴ３からのステップが繰り返される。また、操作部７が装備品管理リスト１２を参照するための指示操作を受けつけている場合には（ＳＴ１２のＹ）、情報処理部８は、この指示操作に従って該当する装備品管理リスト１２の記録内容を抽出して表示部９に送出し、表示部９は、これをリスト表示する（ＳＴ１３）。そして、上述した一連の動作は、動作終了の指示がされるまで継続される（ＳＴ１４）。
【００２４】
以上説明したように、本実施例においては、ＩＤカード１により認証された隊員の所持する装備品を、これらに付された無線タグ３により特定し、所持すべき装備品の情報が記録された個人別装備品リスト１１、及びそれぞれの装備品の管理情報が記録された装備品管理リスト１２を用いて、隊員の所持する装備品の過不足及び可用性をチェックし、その結果を表示部９に表示している。これにより、個人が装着・携行すべき装備品を短時間で確実にチェックできる装備品チェックアウト装置を得ることができる。
【００２５】
また、無線タグ３を付された装備品の管理情報は、装備品管理リスト１２に一元化されて記録されるとともに、隊員が所持することによって装備品の使用が特定されるたびごとに、その装備品に対する使用履歴を更新している。加えて、装備品管理リスト１２を表示部９に表示して記録されたリスト内容の参照を可能にしている。これにより、個々の装備品に対する使用履歴を中心としたトレーサビリティを確保することができる。
【００２６】
なお、図４による本実施例の動作の説明においては、個人別装備品リスト記憶部５に個人別装備品リスト１１を設定するステップ（ＳＴ１）を、装備品管理リスト記憶部６に装備品管理リスト１２を設定するステップ（ＳＴ２）に先行させているが、これを入れ替えて、ＳＴ２のステップをＳＴ１のステップに先行させてもよい。また、操作部７が装備品管理リスト１２を参照するための指示操作を受けつけている場合にその内容を表示部９にリスト表示するステップ（ＳＴ１２及びＳＴ１３）を、チェックの継続するか否かを判定するステップ（ＳＴ１１）の直後としたが、これらのステップを、ＳＴ２のステップからＳＴ１０のステップのいずれかの直後とすることもでき、種々の変形が可能である。そして、いずれの場合にも、上述した効果と同様の効果を得ることができる。
【図面の簡単な説明】
【００２７】
【図１】本発明に係るチェックアウト装置の一実施例を示すブロック図。
【図２】個人別装備品リストの構成の一例をに示す説明図。
【図３】装備品管理リストの構成の一例を示す説明図。
【図４】本発明に係る装備品チェックアウト装置の動作の一例を説明するためのフローチャート。
【図５】メッセージの表示例を示す説明図。
【符号の説明】
【００２８】
１  ＩＤカード
２  カード読みとり部
３  無線タグ
４  タグ読みとり部
５  個人別装備品リスト記憶部
６  装備品管理リスト記憶部
７  操作部
８  情報処理部
９  表示部
１０  送受信部
１１  個人別装備品リスト
１２  装備品管理リスト
【図１】
2007207178.tif 000003
【図２】
2007207178.tif 000004
【図３】
2007207178.tif 000005
【図４】
2007207178.tif 000006
【図５】
2007207178.tif 000007